【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
靴の着用者の足を中に受容するように構成されるアッパーであって、該アッパーは、該足の上部部分をカバーするように構成されるクロージャーおよびタンを備える、アッパーと、
該クロージャーの対向する縁部に結合される少なくとも１本のワイヤ紐であって、該少なくとも１本のワイヤ紐は、該クロージャーの該対向する縁部を引いてより近接させることにより、該足周りで該クロージャーを引き締めるように構成されている、少なくとも１本のワイヤ紐と、
該少なくとも１本のワイヤ紐に結合される少なくとも１本の支持ワイヤであって、該少なくとも１本の支持ワイヤは、該少なくとも１本のワイヤ紐が該足周りで該クロージャーを引き締めるときに該少なくとも１本の支持ワイヤが該アッパーの外側面、底面および内側面周りで引き締まるように、該アッパーの該外側面、底面および内側面周りに巻付く、少なくとも１本の支持ワイヤと
を備える、靴。
【請求項２】
前記タンに結合されるリールアセンブリをさらに備える、請求項１に記載の靴であって、前記少なくとも１本のワイヤ紐は、該リールアセンブリにさらに結合され、その結果、該リールアセンブリが第１の方向に回されるときに該少なくとも１本のワイヤ紐が前記クロージャーの前記対向する縁部を引いてより近接させ、それによって、前記アッパーの前記外側面、底面および内側面周りの前記少なくとも１本の支持ワイヤを引き締める、靴。
【請求項３】
前記リールアセンブリが前記第１の方向と逆の第２の方向に回されるとき、前記少なくとも１本のワイヤ紐は徐々に緩み、それによって、前記アッパーの前記外側面、底面および内側面周りの前記少なくとも１本の支持ワイヤを徐々に緩める、請求項２に記載の靴。
【請求項４】
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって、前記アッパーの前記外側面、底面および内側面周りの前記少なくとも１本の支持ワイヤを解放するように構成される、請求項２に記載の靴。
【請求項５】
前記アッパーの前記外側面、底面および内側面周りに巻付くサドルをさらに備える、請求項１に記載の靴であって、該サドルは、前記少なくとも１本の支持ワイヤが該アッパーの該外側面、底面および内側面周りで引き締まるときに該サドルも該アッパーの該外側面、底面および内側面周りで引き締まるように、該少なくとも１本の支持ワイヤを中に受容するための少なくとも１つのチャンネルを備える、靴。
【請求項６】
前記クロージャーの対向する第１の縁部に結合される第１のセットの結合メカニズムと、
該クロージャーの対向する第２の縁部に結合される第２のセットの結合メカニズムと  をさらに備える、請求項１に記載の靴であって、該第１および第２のセットの結合メカニズムは、前記少なくとも１本のワイヤ紐を前記少なくとも１本の支持ワイヤに結合する、靴。
【請求項７】
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本の支持ワイヤは、第１、第２および第３の支持ワイヤを備え、該第１の支持ワイヤは、該第１の結合メカニズムに結合される第１の端部と、該第４の結合メカニズムに結合される第２の端部とを有し、該第２の支持ワイヤは、該第２の結合メカニズムに結合される第１の端部と、該第５の結合メカニズムに結合される第２の端部とを有し、該第３の支持ワイヤは、該第３の結合メカニズムに結合される第１の端部と、該第６の結合メカニズムに結合される第２の端部とを有する、請求項６に記載の靴。
【請求項８】
ソールをさらに備える、請求項１に記載の靴であって、該ソールは、
前記アッパーの前記底面の前方部分に取り付けられる前方ソール部分と、
該アッパーの該底面のヒール部分に取り付けられるヒールソール部分と
を備え、
前記少なくとも１本の支持ワイヤは、該アッパーの該底面の中間部分周りに巻付き、該中間部分は、該前方部分およびヒール部分の間に位置する、靴。
【請求項９】
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、該ヒールミッドソールは、該ヒールミッドソール補強構造および該ヒールアウトソールによって少なくとも部分的に包含されている、請求項８に記載の靴。
【請求項１０】
前記第１の材料は、発泡熱可塑性ポリウレタン（ｅＴＰＵ）を含む、請求項９に記載の靴。
【請求項１１】
前記前方アウトソール部分およびヒールアウトソール部分の間に配置されかつそれらに結合される土踏まずアウトソール部分をさらに備え、それにより、該土踏まずアウトソール部分と、該前方ソール部分およびヒールソール部分の間に位置する前記アッパーの前記底面の一部との間に窓部を形成する、請求項９に記載の靴。
【請求項１２】
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、請求項９に記載の靴。
【請求項１３】
前記少なくとも１本の支持ワイヤは、前記アッパーの前記内側面から、前記土踏まずミッドソールおよび土踏まずミッドソール補強構造の下、そして該アッパーの前記外側面まで進む、請求項１２に記載の靴。
【請求項１４】
前記少なくとも１本の支持ワイヤは、少なくとも１本のワイヤループを含む、請求項１に記載の靴。
【請求項１５】
ゴルフ靴の着用者の足を中に受容するように構成されるアッパーであって、該アッパーは、該足の上部部分をカバーするように構成されるクロージャーおよびタンを備える、アッパーと、
リールアセンブリと、該リールアセンブリに結合される少なくとも１本のワイヤ紐と、
サドルと、該サドルに結合される少なくとも１本のサドルワイヤとを備える巻付きサドルアセンブリであって、該サドルは、該アッパーの外側面、底面および内側面周りに巻付き、該少なくとも１本のサドルワイヤは、該リールアセンブリが第１の方向に回されるときに該サドルが該アッパーの該外側面、底面および内側面周りで引き締まるように、該少なくとも１本のワイヤ紐に結合される、巻付きサドルアセンブリと、
前方ソール部分とヒールソール部分とを備えるソールであって、該サドルは、該前方ソール部分およびヒールソール部分の間に位置する、該アッパーの該底面の中間部分周りに巻付く、ソールと、
該前方ソール部分およびヒールソール部分の底面上に配置される複数の牽引要素と
を備える、ゴルフ靴。
【請求項１６】
前記リールアセンブリが前記第１の方向と逆の第２の方向に回されるとき、前記少なくとも１本のワイヤ紐は、徐々に緩み、それによって、前記アッパーの前記外側面、底面および内側面周りの前記少なくとも１本のサドルワイヤを徐々に緩める、請求項１５に記載のゴルフ靴。
【請求項１７】
前記リールアセンブリは、スプール部材と、該スプール部材に軸方向に結合されるノブとを備え、該ノブは、前記少なくとも１本のワイヤ紐を解放するために該スプール部材から離されるように軸方向に上昇させられ、それによって前記アッパーの前記外側面、底面および内側面周りの前記少なくとも１本のサドルワイヤを解放するように構成される、請求項１５に記載のゴルフ靴。
【請求項１８】
前記サドルは、前記少なくとも１本のサドルワイヤを中に受容するための少なくとも１つのチャンネルを備え、該少なくとも１本のサドルワイヤは、前記アッパーの前記外側面、底面および内側面周りに巻付くように該サドルの全長を進み、その結果、該少なくとも１本のサドルワイヤが該アッパーの該外側面、底面および内側面周りで引き締まるときに該サドルも該アッパーの該外側面、底面および内側面周りで引き締まる、請求項１５に記載のゴルフ靴。
【請求項１９】
前記クロージャーの対向する第１の縁部に結合される第１のセットの結合メカニズムと、
該クロージャーの対向する第２の縁部に結合される第２のセットの結合メカニズムと
をさらに備える、請求項１５に記載のゴルフ靴であって、該第１および第２のセットの結合メカニズムは、前記少なくとも１本のワイヤ紐を前記少なくとも１本のサドルワイヤに結合する、ゴルフ靴。
【請求項２０】
前記第１のセットの結合メカニズムは、第１、第２および第３の結合メカニズムを備え、これらは、前記少なくとも１本のワイヤ紐に結合され、かつ、前記クロージャーの前記対向する第１の縁部上で相互に隣接して配置され、
前記第２のセットの結合メカニズムは、第４、第５および第６の結合メカニズムを備え、これらは、該少なくとも１本のワイヤ紐に結合され、かつ、該クロージャーの前記対向する第２の縁部上で相互に隣接して配置され、
前記少なくとも１本のサドルワイヤは、第１、第２および第３のワイヤループを備え、
該第１のワイヤループは、該第１の結合メカニズムに結合される第１の端部と、該第４の結合メカニズムに結合される第２の端部とを有し、該第２のワイヤループは、該第２の結合メカニズムに結合される第１の端部と、該第５の結合メカニズムに結合される第２の端部とを有し、該第３のワイヤループは、該第３の結合メカニズムに結合される第１の端部と、該第６の結合メカニズムに結合される第２の端部とを有する、請求項１９に記載のゴルフ靴。
【請求項２１】
前記前方ソール部分は、第１の材料を含む前方ミッドソールと、該第１の材料より硬い第２の材料を含む前方アウトソールと、該第１の材料より硬い第３の材料を含む前方ミッドソール補強構造とを備え、該前方ミッドソールは、該前方ミッドソール補強構造および該前方アウトソールによって少なくとも部分的に包含されており、
前記ヒールソール部分は、該第１の材料を含むヒールミッドソールと、該第２の材料を含むヒールアウトソールと、該第３の材料を含むヒールミッドソール補強構造とを備え、
該ヒールミッドソールは、該ヒールミッドソール補強構造および該ヒールアウトソールによって少なくとも部分的に包含されている、請求項１５に記載のゴルフ靴。
【請求項２２】
前記第１の材料は、発泡熱可塑性ポリウレタン（ｅＴＰＵ）を含む、請求項２１に記載のゴルフ靴。
【請求項２３】
前記前方アウトソール部分およびヒールアウトソール部分の間に配置されかつそれらに結合される土踏まずアウトソール部分をさらに備える、請求項２１に記載のゴルフ靴であって、該土踏まずアウトソール部分は、該土踏まずアウトソール部分と、該前方ソール部分およびヒールソール部分の間に位置する、前記アッパーの前記底面の一部との間に窓部を形成する、ゴルフ靴。
【請求項２４】
前記第１の材料を含み、かつ前記前方ミッドソールおよびヒールミッドソールの間に配置される土踏まずミッドソールと、
前記第３の材料を含み、かつ前記前方ミッドソール補強構造およびヒールミッドソール補強構造の間に配置される土踏まずミッドソール補強構造であって、該土踏まずミッドソール補強構造は、該土踏まずミッドソールの少なくとも一部を補強する、土踏まずミッドソール補強構造と
をさらに備える、請求項２１に記載のゴルフ靴。